(57)【特許請求の範囲】
【請求項１】
移動局の装置であって、
確認応答（ＡＣＫ）情報および否定確認応答（ＮＡＣＫ）情報のうち一方に対応するシーケンスを決定するシーケンス決定部と、
前記移動局から基地局に対して後に行われる送信についての送信チャネルに前記シーケンスをマッピングするマッピング部と
を備え、
前記送信チャネルは、３つのフィードバックミニタイル（ＦＭＴ）の３個のブロックが割り当てられており、前記３つのＦＭＴはそれぞれ、周波数ドメインにおいて連続している２つのサブキャリアと、時間ドメインにおいて連続している６つの直交周波数分割多重（ＯＦＤＭ）シンボルとの組み合わせを含み、前記３つのＦＭＴは、前記周波数ドメインにおいて不連続であり、
前記３個のブロックのそれぞれは、前記時間ドメインにおける２つのＯＦＤＭシンボルと、前記周波数ドメインにおける１つのサブキャリアとの組み合わせを含み、
前記３個のブロックは、前記周波数ドメインにおいて不連続であって、
前記シーケンス決定部は、複数の６ビットの直交シーケンスから前記シーケンスを選択することによって前記シーケンスを決定する
装置。
【請求項２】
前記送信チャネルは、５つの他の移動局に割り当てられている５つの他の送信チャネルと、前記３つのＦＭＴを共有している請求項１に記載の装置。
【請求項３】
移動局によって実行される方法であって、
確認応答（ＡＣＫ）情報および否定確認応答（ＮＡＣＫ）情報のうち一方に対応するシーケンスを決定する段階と、
前記移動局から基地局に対して後に行われる送信のための、周波数ドメインにおいて不連続であり、それぞれが、前記周波数ドメインにおいて連続している２つのサブキャリアと、時間ドメインにおいて連続している６つの直交周波数分割多重（ＯＦＤＭ）シンボルとの組み合わせを含む、３つのフィードバックミニタイル（ＦＭＴ）の３個のブロックが割り当てられている送信チャネルに前記シーケンスをマッピングする段階と
を備え、
前記３個のブロックのそれぞれは、前記時間ドメインにおける２つのＯＦＤＭシンボルと、前記周波数ドメインにおける１つのサブキャリアとの組み合わせを含み、
前記３個のブロックは、前記周波数ドメインにおいて不連続であって、
複数の６ビットの直交シーケンスから前記シーケンスを選択することによって前記シーケンスを決定する
方法。
【請求項４】
前記送信チャネルは、５つの他の移動局に割り当てられている５つの他の送信チャネルと、前記３つのＦＭＴを共有している請求項３に記載の方法。
【請求項５】
移動局に、
確認応答（ＡＣＫ）情報および否定確認応答（ＮＡＣＫ）情報のうち一方に対応するシーケンスを決定する動作と、
前記移動局から基地局に対して後に行われる送信のための、周波数ドメインにおいて不連続であり、それぞれが、前記周波数ドメインにおいて連続している２つのサブキャリアと、時間ドメインにおいて連続している６つの直交周波数分割多重（ＯＦＤＭ）シンボルとの組み合わせを含む、３つのフィードバックミニタイル（ＦＭＴ）の３個のブロックが割り当てられている送信チャネルに前記シーケンスをマッピングする動作と
を行わせ、
前記３個のブロックのそれぞれは、前記時間ドメインにおける２つのＯＦＤＭシンボルと、前記周波数ドメインにおける１つのサブキャリアとの組み合わせを含み、
前記３個のブロックは、前記周波数ドメインにおいて不連続であって、
複数の６ビットの直交シーケンスから前記シーケンスを選択することによって前記シーケンスを決定する
プログラム。
【請求項６】
前記送信チャネルは、５つの他の移動局に割り当てられている５つの他の送信チャネルと、前記３つのＦＭＴを共有している請求項５に記載のプログラム。
【請求項７】
プロセッサと、
前記プロセッサに結合されている送受信機と
を備える移動局であって、
前記送受信機は、前記プロセッサが供給するＡＣＫ情報およびＮＡＣＫ情報のうち一方に対応するシーケンスを決定し、前記移動局から基地局に対して後に行われる送信のための送信チャネルに前記シーケンスをマッピングし、
前記送信チャネルは、３つのフィードバックミニタイル（ＦＭＴ）の３個のブロックが割り当てられており、前記３つのＦＭＴはそれぞれ、周波数ドメインにおいて連続している２つのサブキャリアと、時間ドメインにおいて連続している６つの直交周波数分割多重（ＯＦＤＭ）シンボルとの組み合わせを含み、前記３つのＦＭＴは、前記周波数ドメインにおいて不連続であって、
前記３個のブロックのそれぞれは、前記時間ドメインにおける２つのＯＦＤＭシンボルと、前記周波数ドメインにおける１つのサブキャリアとの組み合わせを含み、
前記３個のブロックは、前記周波数ドメインにおいて不連続であって、
複数の６ビットの直交シーケンスから前記シーケンスを選択することによって前記シーケンスを決定する
移動局。
【発明の詳細な説明】
【技術分野】
【０００１】
２００９年７月に公開された米国電気電子学会（ＩＥＥＥ）８０２．１６ｍ規格によると、アップリンクハイブリッド自動再送要求（ＵＬ  ＨＡＲＱ）方式を用いて、基地局から移動局へ送信されるデータに含まれるエラーを検出して修正する。移動局は、受信したデータにエラーが含まれているか否かを検出するとしてよい。移動局は、エラーが検出されない場合、確認応答（ＡＣＫ）信号を基地局に送信するとしてよい。移動局は、エラーが検出される場合、否定確認応答（ＮＡＣＫ）信号を基地局に送信するとしてよく、基地局は、データの受信が成功しなかった旨を認識して、データを移動局に再送するとしてよい。
【０００２】
このため、ＡＣＫ／ＮＡＣＫ信号は、通信の信頼性を確認する上で重要な信号である。多くの場合、ＡＣＫ／ＮＡＣＫ信号の送信には専用チャネルリソースを割り当てるとしてよい。
【図面の簡単な説明】
【０００３】
本明細書で説明する発明を、添付図面において本発明を限定するためではなく一例として図示する。図示を簡略化して分かりやすくするべく、図面に図示する構成要素は必ずしも実寸に即していない。例えば、分かりやすいように、一部の構成要素の寸法は他の構成要素と比較して強調されている場合があるとしてよい。さらに、適切だと考えられる場合には、参照符号は、対応する構成要素または同様の構成要素を意味するべく、複数の図面に渡って繰り返し用いられる。
【図１】アップリンクＡＣＫ／ＮＡＣＫフィードバックチャネルリソースユニットの物理的構造の実施形態を示す図である。
【図２Ａ】アップリンクＡＣＫ／ＮＡＣＫフィードバックチャネルリソースユニットに基づく時分割多重／符号分割多重（ＴＤＭ／ＣＤＭ）構成の実施形態を示す図である。
【図２Ｂ】図２ＡのＴＤＭ／ＣＤＭ構成に基づくアップリンクＡＣＫ／ＮＡＣＫフィードバックチャネルへの１２ビットシーケンスのマッピングの実施形態を示す図である。
【図３】アップリンクＡＣＫ／ＮＡＣＫフィードバックチャネルリソースユニットに基づく時分割多重／周波数分割多重（ＴＤＭ／ＦＤＭ）構成の実施形態を示す図である。
【図４】アップリンクＡＣＫ／ＮＡＣＫフィードバックチャネルリソースユニットに基づく別のＴＤＭ／ＦＤＭ構成の実施形態を示す図である。
【図５】ＡＣＫ／ＮＡＣＫ信号を生成して送信するプロセスの実施形態を示す図である。
【図６】ＡＣＫ／ＮＡＣＫ信号を生成して送信する装置の実施形態を示す図である。
【図７】移動局の実施形態を示す図である。
【図８】ＴＤＭ／ＣＤＭ構成およびＴＤＭ／ＦＤＭ構成の性能を示す図である。
【図９】ＴＤＭ／ＣＤＭ構成およびＴＤＭ／ＦＤＭ構成の性能を示す図である。
【図１０】ＴＤＭ／ＣＤＭ構成およびＴＤＭ／ＦＤＭ構成の性能を示す図である。
【図１１】ＴＤＭ／ＣＤＭ構成およびＴＤＭ／ＦＤＭ構成の性能を示す図である。
【発明を実施するための形態】
【０００４】
以下に記載する説明は、無線通信システムにおいてＡＣＫ／ＮＡＣＫ信号を送信する方法および装置に関するものである。以下に記載する説明では、本発明を徹底的に理解していただくべく、論理実装、擬似コード、オペランドを特定する手段、リソースのパーティション化／共有／複製の実装、システム構成要素の種類および相関関係、および、論理上のパーティション化／統合に関する選択等、具体的且つ詳細な内容を数多く記載する。しかし、このような具体的且つ詳細な内容を利用せずとも本発明は実施され得る。また、制御構造、ゲートレベル回路および完全なソフトウェア命令シーケンスは、本発明をあいまいにすることを避けるべく、詳細な説明を省略している。当業者であれば、本明細書に記載する説明を参照することで、過度の実験を必要とすることなく適切な機能を実施可能である。
【０００５】
本明細書中で「一実施形態」、「ある実施形態」、「実施形態例」等の記載がある場合、説明している実施形態が特定の特徴、構造または特性を持つことを意味するが、全ての実施形態が必ずしもその特徴、構造または特性を持つものではない。また、このような記載は必ずしも同じ実施形態を意味しているわけではない。また、特定の特徴、構造または特性が一の実施形態に関連付けて説明されている場合、明示的に記載されていようといまいと、他の実施形態に関連付けて当該特徴、構造または特性を実施することは当業者の知識の範囲内であると考えている。
【０００６】
本発明の実施形態は、ハードウェア、ファームウェア、ソフトウェアまたはこれらの任意の組み合わせで実現するとしてよい。本発明の実施形態はさらに、機械可読媒体に格納されている命令として実現されるとしてもよい。当該命令は、１以上のプロセッサによって読み出されて実行されるとしてよい。機械可読媒体は、機械（例えば、コンピューティングデバイス）が読み出し可能な形式で情報を格納または送信するメカニズムを含むとしてよい。例えば、機械可読媒体は、リードオンリーメモリ（ＲＯＭ）、ランダムアクセスメモリ（ＲＡＭ）、磁気ディスク格納媒体、光格納媒体、フラッシュメモリデバイス、および、電気信号、光信号、音信号または他の形式の伝播信号（例えば、搬送波、赤外線信号、デジタル信号等）を含むとしてよい。
【０００７】
図１は、アップリンクＡＣＫ／ＮＡＣＫフィードバックチャネルリソースユニットの物理的構造の実施形態を示す図である。当該実施形態によると、アップリンクＡＣＫ／ＮＡＣＫフィードバックチャネルリソースユニットは、直交周波数分割多重（ＯＦＤＭ）システム等の無線通信システムにおいて移動局から基地局へとＡＣＫ／ＮＡＣＫ信号を送信するために用いられるとしてよい。図示しているように、アップリンクＡＣＫ／ＮＡＣＫフィードバックチャネルリソースユニットは、３つのフィードバックミニタイル（ＦＭＴ）、例えば、ＦＭＴ１−ＦＭＴ３を含むとしてよい。ＦＭＴ１−ＦＭＴ３はそれぞれ、周波数ドメインにおいて連続している２つのサブキャリアと、時間ドメインにおいて連続している６つのＯＦＤＭシンボルとを組み合わせたものと定義されるとしてよい。簡略化して２×６タイルと呼ぶ。ＦＭＴ１−ＦＭＴ３のうち任意の２つのＦＭＴは、ＦＭＴ間で周波数多様性を実現するべく、周波数ドメインにおいて不連続であるとしてよい。例えば、ＦＭＴ１は、ＦＭＴ２またはＦＭＴ３から、周波数ドメインにおいて不連続であるとしてよい。
【０００８】
ＩＥＥＥ８０２．１６ｍによると、アップリンクＡＣＫ／ＮＡＣＫフィードバックチャネルリソースユニットは、送信性能を犠牲にすることなく、例えば、ＡＣＫ−ＮＡＣＫのターゲットパケットエラーレートが１％以下になるようにしつつ、そして、ＮＡＣＫ−ＡＣＫのターゲットパケットエラーレートは０．１％以下となるようにしつつ、最高で６個のアップリンクＡＣＫ／ＮＡＣＫフィードバックチャネルを含むとしてよい。各アップリンクＡＣＫ／ＮＡＣＫフィードバックチャネルは、１つの移動局に対してＡＣＫ／ＮＡＣＫ信号を送信するために用いられるとしてよい。ある実施形態によると、アップリンクＡＣＫ／ＮＡＣＫフィードバックチャネルリソースユニットは、性能要件を満足させつつ、最高で６個の移動局に対するＡＣＫ／ＮＡＣＫ信号を送信するために用いるとしてよい。
【０００９】
図２Ａは、アップリンクＡＣＫ／ＮＡＣＫフィードバックチャネルリソースユニットに基づくＴＤＭ／ＣＤＭ構成の実施形態を示す図である。６個のアップリンクＡＣＫ／ＮＡＣＫフィードバックチャネルを含むアップリンクＡＣＫ／ＮＡＣＫフィードバックチャネルリソースユニットを一例に挙げると、ＦＭＴ１−ＦＭＴ３は９個のＨＡＲＱミニタイル（ＨＭＴ）、つまり、ＨＭＴ１−ＨＭＴ９に分割されるとしてよい。ＨＭＴ１−ＨＭＴ９はそれぞれ、周波数ドメインにおいて連続する２つのサブキャリアと、時間領域において連続する２つのＯＦＤＭシンボルとの組み合わせとして定義されるとしてよい。簡略化して２×２タイルと呼ぶ。
【００１０】
一対のＡＣＫ／ＮＡＣＫフィードバックチャネルはそれぞれ、ＡＣＫ／ＮＡＣＫ信号を送信するべく３つのＨＭＴが割り当てられているとしてよい。例えば、ＡＣＫ／ＮＡＣＫフィードバックチャネル１および２（図２Ａでは、「ＣＨ１、２」と示している）は、ＨＭＴ１、ＨＭＴ５およびＨＭＴ９が割り当てられているとしてよい。ＡＣＫ／ＮＡＣＫフィードバックチャネルはそれぞれ、１つの移動局がＡＣＫ／ＮＡＣＫ信号を基地局に送信する際に利用されるとしてよい。周波数多様性および／または時間多様性を高めるべく、３つのＨＭＴの位置は、周波数および／または時間を変更するとしてよい。ある実施形態によると、ＨＭＴ１の位置の周波数および時間は、ＨＭＴ５またはＨＭＴ９の位置の周波数および時間と異なるとしてよい。例えば、ＨＭＴ１の位置の周波数は、ＨＭＴ５またはＨＭＴ９の位置の周波数とは不連続であるとしてよい。２つのＨＡＲＱフィードバックチャネルは同じリソースを共有するので、図２Ａの構成はＴＤＭ／ＣＤＭ構成と呼ぶとしてよい。
【００１１】
他の実施形態では図２Ａの構成の他の変形例および変更例を実現し得ると理解されたい。例えば、アップリンクＡＣＫ／ＮＡＣＫフィードバックチャネルリソースユニットが含むＡＣＫ／ＮＡＣＫフィードバックチャネルの数は、６個未満であってもよい。別の例を挙げると、３つのＨＭＴのうち任意の２つのＨＭＴは、周波数および／または時間において連続しているとしてよい。
【００１２】
図２ＡのＴＤＭ／ＣＤＭ構成に基づく場合、長さが１２ビットのシーケンスを用いて、１つのＡＣＫ／ＮＡＣＫフィードバックチャネルのＡＣＫ／ＮＡＣＫフィードバックを表現するとしてよい。ある実施形態によると、当該シーケンスは、複数の直交サブシーケンス、例えば、表１に示すような４つの直交サブシーケンスから４ビットのサブシーケンスを１つ選択して、当該４ビットサブシーケンスを３回繰り返して１２ビットシーケンスを提供することによって、生成されるとしてよい。表１は説明のために記載しており、サブシーケンスとＡＣＫ／ＮＡＣＫフィードバックとの間の対応関係は記載したもの以外も生成されるものであり、例えば、サブシーケンス＃１はチャネル２のＡＣＫフィードバックを表すとしてもよいと理解されたい。また、他のサブシーケンスを用いてＡＣＫ／ＮＡＣＫフィードバックを表現するとしてよい。他のチャネルのＡＣＫ／ＮＡＣＫフィードバック、例えば、チャネル３、４、５および６についても、同一または同様の方式を適用してもよい。
【００１３】
別の実施形態によると、当該シーケンスは、複数の直交シーケンス、例えば、表２に示すような４つの直交シーケンスから１２ビットシーケンスを１つ選択することによって生成するとしてよい。表２は説明のために記載しており、シーケンスとＡＣＫ／ＮＡＣＫフィードバックとの間の対応関係は記載したもの以外も生成されるものであり、例えば、シーケンス＃１はチャネル２のＡＣＫフィードバックを表すとしてもよいと理解されたい。また、他のシーケンスを用いてＡＣＫ／ＮＡＣＫフィードバックを表現するとしてよい。他のチャネルのＡＣＫ／ＮＡＣＫフィードバック、例えば、チャネル３、４、５および６についても、同一または同様の方式を適用してもよい。
【表１】
0005527702.tif 000002
【表２】
0005527702.tif 000003
【００１４】
表１および表２に示すように、シーケンス＃１およびシーケンス＃２は、ＡＣＫ／ＮＡＣＫフィードバックチャネル１用のＡＣＫ／ＮＡＣＫフィードバックを表しており、シーケンス＃３およびシーケンス＃４は、ＡＣＫ／ＮＡＣＫフィードバックチャネル２用のＡＣＫ／ＮＡＣＫフィードバックを表しているとしてよい。
【００１５】
図２Ｂは、図２ＡのＴＤＭ／ＣＤＭ構成に基づくアップリンクＡＣＫ／ＮＡＣＫフィードバックチャネルに対する１２ビットシーケンスのマッピングの実施形態を示す図である。図２Ｂに示すように、シーケンスを構成するビットはそれぞれ、つまり、Ｃｉ，０、Ｃｉ，１、Ｃｉ，２、Ｃｉ，３は、ＨＭＴ１、ＨＭＴ５およびＨＭＴ９の各サブキャリアにマッピングされるとしてよい。尚、ｉは、ＦＭＴのインデックスを表す。
【００１６】
図３は、アップリンクＡＣＫ／ＮＡＣＫフィードバックチャネルリソースユニットに基づく時分割多重／周波数分割多重（ＴＤＭ／ＦＤＭ）構成の実施形態を示す図である。６つのアップリンクＡＣＫ／ＮＡＣＫフィードバックチャネルを含むアップリンクＡＣＫ／ＮＡＣＫフィードバックチャネルリソースユニットを一例として挙げると、ＦＭＴ１−ＦＭＴ３は１８個のＨＡＲＱミニタイル（ＨＭＴ）、つまり、ＨＭＴ１−ＨＭＴ１８に分割されるとしてよい。ＨＭＴ１−ＨＭＴ１８はそれぞれ、周波数方向に１つのサブキャリアと、時間方向に連続する２つのＯＦＤＭシンボルとの組み合わせ、簡略化すると１×２タイルとして定義されるとしてよい。
【００１７】
ＡＣＫ／ＮＡＣＫフィードバックチャネルはそれぞれ、ＡＣＫ／ＮＡＣＫ信号を送信するために３つのＨＭＴが割り当てられているとしてよい。例えば、ＡＣＫ／ＮＡＣＫフィードバックチャネル１（図３では「ＣＨ１」と示す）は、ＨＭＴ１、ＨＭＴ８およびＨＭＴ１８が割り当てられているとしてよい。各ＡＣＫ／ＮＡＣＫフィードバックチャネルは、１つの移動局について、ＡＣＫ／ＮＡＣＫ信号を基地局に送信するために用いられるとしてよい。周波数多様性および／または時間多様性を改善するべく、３つのＨＭＴの周波数方向および／または時間方向における位置を異ならせるとしてよい。ある実施形態によると、ＨＭＴ１の周波数方向および時間方向における位置は、ＨＭＴ８またはＨＭＴ１８と異なっているとしてよい。例えば、ＨＭＴ１の位置は、ＨＭＴ８またはＨＭＴ１８とは周波数方向において不連続であるとしてよい。
【００１８】
他の実施形態では図３に示す構成の変形例および変更例を実現し得るものと理解されたい。例えば、アップリンクＡＣＫ／ＮＡＣＫフィードバックチャネルリソースユニットが含むＡＣＫ／ＮＡＣＫフィードバックチャネルは６つ未満であるとしてもよい。別の例を挙げると、３つのＨＭＴのうち任意の２つのＨＭＴは、周波数方向および／または時間方向において連続しているとしてよい。
【００１９】
図３のＴＤＭ／ＦＤＭ構成に基づく場合、１つのＡＣＫ／ＮＡＣＫフィードバックチャネルについてのＡＣＫ／ＮＡＣＫ情報を表現するために長さが６ビットのシーケンスを用いるとしてよい。ある実施形態によると、複数の直交サブシーケンス、例えば、表３に示すような２つの直交サブシーケンスから１つの２ビットのサブシーケンスを選択して、当該２ビットのサブシーケンスを３回繰り返して６ビットのシーケンスを生成するとしてよい。別の実施形態では、複数の直交シーケンス、例えば、表４に示すような２つの直交シーケンスから１つの６ビットのシーケンスを選択することによってシーケンスを生成するとしてよい。
【００２０】
表１および表２は説明のために記載されているものであり、サブシーケンス／シーケンスとＡＣＫ／ＮＡＣＫフィードバックとの間には他の対応関係が設定されるとしてよく、例えば、サブシーケンス＃１またはシーケンス＃１はチャネル２のＡＣＫフィードバックを表し得るものと理解されたい。また、ＡＣＫ／ＮＡＣＫフィードバックを表すために他のサブシーケンス／シーケンスを用いるとしてもよい。他のチャネル、例えば、チャネル３、４、５および６のＡＣＫ／ＮＡＣＫフィードバックに同一または同様の方式を適用するとしてよい。
【表３】
0005527702.tif 000004
【表４】
0005527702.tif 000005
【００２１】
割り当てられているＨＭＴにシーケンスをマッピングするのは、図２Ｂを参照しつつ上述したのと同様であるとしてよく、説明を簡略化するためここでは繰り返さない。
【００２２】
図４は、アップリンクＡＣＫ／ＮＡＣＫフィードバックチャネルリソースユニットに基づく時分割多重／周波数分割多重（ＴＤＭ／ＦＤＭ）構成の別の実施形態を示す図である。６つのアップリンクＡＣＫ／ＮＡＣＫフィードバックチャネルを含むアップリンクＡＣＫ／ＮＡＣＫフィードバックチャネルリソースユニットを一例として挙げると、ＦＭＴ１−ＦＭＴ３は、３６個のＨＡＲＱミニタイル（ＨＭＴ）、つまり、ＨＭＴ１−ＨＭＴ３６に分割されるとしてよい。ＨＭＴ１−ＨＭＴ３６はそれぞれ、周波数方向に１つのサブキャリアと、時間方向に１つのＯＦＤＭシンボルとの組み合わせとして、簡略化すると１×１タイルとして定義されているとしてよい。
【００２３】
各ＨＡＲＱフィードバックチャネルには、ＡＣＫ／ＮＡＣＫ信号を送信するべく６個のＨＭＴが割り当てられているとしてよい。例えば、ＡＣＫ／ＮＡＣＫフィードバックチャネル１（図４では「ＣＨ１」と示す）には、ＨＭＴ１、ＨＭＴ８、ＨＭＴ１５、ＨＭＴ２２、ＨＭＴ２９およびＨＭＴ３６が割り当てられているとしてよい。各ＨＡＲＱフィードバックチャネルは、１つの移動局について、基地局に対してＡＣＫ／ＮＡＣＫ信号を送信するべく用いられるとしてよい。周波数多様性および／または時間多様性を改善するべく、６つのＨＭＴの周波数方向および／または時間方向での位置を異ならせるとしてよい。例えば、ＨＭＴ１の周波数方向および時間方向の位置は、ＨＭＴ８、ＨＭＴ１５、ＨＭＴ２２、ＨＭＴ２９およびＨＭＴ３６とは異なるとしてよい。
【００２４】
他の実施形態では図４に示す構成の変形例および変更例を実現し得るものと理解されたい。例えば、アップリンクＡＣＫ／ＮＡＣＫフィードバックチャネルリソースユニットが含むＡＣＫ／ＮＡＣＫフィードバックチャネルは６つ未満であるとしてもよい。
【００２５】
図４の構成に基づき、図３を参照しつつ上述したのと同様に、１つのＡＣＫ／ＮＡＣＫフィードバックチャネルについてのＡＣＫ／ＮＡＣＫ情報を表現するために長さが６ビットのシーケンスを用いるとしてよい。説明を簡略化するべく、図４のＴＤＭ／ＦＤＭ構成についてのシーケンスの表現方式およびシーケンスのマッピング方式については説明を繰り返さない。
【００２６】
ＡＣＫ／ＮＡＣＫフィードバックチャネルリソースユニットに基づく符号分割多重（ＣＤＭ）構成の実施形態を以下で説明するとしてよい。ＣＤＭ構成については図１と変わらないので、図１を参照しつつＣＤＭ構成を説明する。６つのアップリンクＡＣＫ／ＮＡＣＫフィードバックチャネルを含むアップリンクＡＣＫ／ＮＡＣＫフィードバックチャネルリソースユニットを一例として挙げると、６つのＡＣＫ／ＮＡＣＫフィードバックチャネルは、ＡＣＫ／ＮＡＣＫ信号を送信する際に、アップリンクＡＣＫ／ＮＡＣＫフィードバックチャネルリソースユニット、つまり、ＦＭＴ１−ＦＭＴ３を共有するとしてよい。言い換えると、ＨＡＲＱフィードバックチャネルはそれぞれ、ＡＣＫ／ＮＡＣＫ信号を送信するために３つの２×６タイルを利用するとしてよい。
【００２７】
ＣＤＭ構成に基づく場合、１つのＡＣＫ／ＮＡＣＫフィードバックチャネルのＡＣＫ／ＮＡＣＫ情報を表すために長さが３６ビットのシーケンスを利用するとしてよい。ある実施形態によると、この３６ビットのシーケンスは、複数の直交サブシーケンス、例えば、表５に示すような１２個の直交サブシーケンスから１つの１２ビットのサブシーケンスを選択して、当該１２ビットのサブシーケンスを３回繰り返して、生成するとしてよい。
【表５】
0005527702.tif 000006
【００２８】
シーケンスとＡＣＫ／ＮＡＣＫフィードバックとの間には他の対応関係が設定されるとしてよく、例えば、シーケンス＃１はチャネル６のＡＣＫフィードバックを表し得るものと理解されたい。また、ＡＣＫ／ＮＡＣＫフィードバックを表すために他のシーケンスを用いるとしてもよい。
【００２９】
他の実施形態はＣＤＭ構成の変形例および変更例を実施し得るものと理解されたい。例えば、アップリンクＡＣＫ／ＮＡＣＫフィードバックチャネルリソースユニットが含むＨＡＲＱフィードバックチャネルは６つ未満であってもよい。別の例を挙げると、ＣＤＭ構成の場合、ＡＣＫ／ＮＡＣＫフィードバックを表現するために複素直交シーケンスを用いるとしてよい。ある実施形態によると、複素直交シーケンスは、Ｃｎｋ＝ｅｊ２πｎｋ／Ｎから求められ、ｎは、シーケンスインデックスを表し、ｋは、シーケンス要素インデックスを表し、Ｎは、シーケンスの数を表し、Ｃｎｋは、ｎ番目のシーケンスのｋ番目のシーケンス要素の値を表すとしてよい。
【００３０】
図５は、ＡＣＫ／ＮＡＣＫ信号を生成して送信するプロセスの実施形態を示す図である。ある実施形態によると、図５に示すプロセスは、移動局の送受信デバイスまたはその他のデバイスによって行われるとしてよい。ブロック５０１において、移動局の送受信デバイスまたはその他のデバイスは、基地局から移動局へのデータ通信への応答として、ＡＣＫ／ＮＡＣＫフィードバックを、例えば、移動局のプロセッサから受信するとしてよい。ある実施形態によると、基地局から受信したこのデータにエラーが検出されない場合、ＡＣＫフィードバックを生成するとしてよく、その逆も同様である。
【００３１】
ブロック５０２では、移動局の送受信デバイスまたはその他のデバイスは、ＡＣＫ／ＮＡＣＫフィードバックを表現するためのシーケンスを決定するとしてよい。上述したように、シーケンスの表現方式は、ＡＣＫ／ＮＡＣＫフィードバックチャネルリソースユニットの構成に応じて変わるとしてよい。また、実施形態毎にシーケンスの決定方法が異なるとしてもよい。ある実施形態によると、複数のサブシーケンスから１つのサブシーケンスを選択して、当該サブシーケンスを所定回数繰り返すことによってシーケンスを決定するとしてよい。別の実施形態によると、複数のシーケンスから当該シーケンスを選択することによって、当該シーケンスを決定するとしてよい。
【００３２】
ブロック５０３において、移動局の送受信デバイスまたは他のデバイスは、ブロック５０２において決定したシーケンスを、割り当てられている送信リソースにマッピングするとしてよい。上述したように、構成によって割り当てられる送信リソースが異なるとしてよい。例えば、ＴＤＭ／ＣＤＭ構成では３つの２×２タイル、ＴＤＭ／ＦＤＭ構成では６つの１×２タイル、ＣＤＭ構成では３つの２×６タイルが割り当てられる。ある実施形態によると、送信リソースの割当は、基地局が行うとしてよい。ある実施形態によると、シーケンスのマッピングでは、１ビットを、１つのサブキャリアと１つのＯＦＤＭシンボルとの組み合わせにマッピングするとしてよい。
【００３３】
ブロック５０４において、移動局の送受信デバイスまたは他のデバイスは、周波数ドメインのシーケンスを時間ドメインのＯＦＤＭシンボルに変換するとしてよい。ある実施形態によると、移動局の送受信デバイスまたは他のデバイスは、この変換を実行するために逆高速フーリエ変換（ＩＦＦＴ）を採用するとしてよい。
【００３４】
ブロック５０５において、移動局の送受信デバイスまたは他のデバイスは、割り当てられている送信リソースを用いて、基地局にＯＦＤＭシンボルを送信するとしてよい。
【００３５】
他の実施形態は図５のプロセスの変形例および変更例を実施し得るものと理解されたい。例えば、シーケンスがビット（１、０）の形式で表されている場合、ブロック５０２の後且つブロック５０３の前に、移動局の送受信デバイスまたは他のデバイスは、シーケンスをビット（１，−１）の形式に変調するとしてよい。
【００３６】
図６は、ＡＣＫ／ＮＡＣＫ信号を生成して送信する装置の実施形態を示す図である。例えば、当該装置は、移動局の送受信デバイスであってよい。
【００３７】
ある実施形態によると、当該装置は、シーケンス決定部６０１と、マッピング部６０２と、変換部６０３と、送信部６０４とを備えるとしてよい。
【００３８】
シーケンス決定部６０１は、基地局から移動局に対するデータ通信の応答として、例えば、移動局のプロセッサから受信するＡＣＫ／ＮＡＣＫフィードバックを表現するシーケンスを決定するとしてよい。実施形態毎にシーケンスの決定方法が異なるとしてもよい。ある実施形態によると、複数のサブシーケンスから１つのサブシーケンスを選択して、当該サブシーケンスを所定回数繰り返すことによってシーケンスを決定するとしてよい。別の実施形態によると、複数のシーケンスから当該シーケンスを選択することによって、当該シーケンスを決定するとしてよい。
【００３９】
マッピング部６０２は、割り当てられている送信リソースにシーケンスをマッピングするとしてよい。上述したように、構成によって割り当てられる送信リソースが異なるとしてよい。例えば、ＴＤＭ／ＣＤＭ構成では３つの２×２タイル、ＴＤＭ／ＦＤＭ構成では６つの１×２タイル、ＣＤＭ構成では３つの２×６タイルが割り当てられる。ある実施形態によると、送信リソースの割当は、基地局が行うとしてよい。ある実施形態によると、シーケンスのマッピングでは、１ビットを、１つのサブキャリアと１つのＯＦＤＭシンボルとの組み合わせにマッピングするとしてよい。
【００４０】
変換部６０３は、周波数ドメインのシーケンスを時間ドメインのＯＦＤＭシンボルに変換するとしてよい。ある実施形態によると、変換部６０３は、この変換を実行するために逆高速フーリエ変換（ＩＦＦＴ）を採用するとしてよい。
【００４１】
送信部６０４は、割り当てられている送信リソースを用いて、基地局にＯＦＤＭシンボルを送信するとしてよい。
【００４２】
他の実施形態は図６の装置の変形例および変更例を実施し得るものと理解されたい。例えば、シーケンスがビット（１、０）の形式で表されている場合、当該装置はさらに、シーケンス決定部６０１とマッピング部６０２との間に、移動局の送受信デバイスまたは他のデバイスは、シーケンス決定部６０１から出力されるシーケンスをビット（１，−１）の形式に変調する変調部を備えるとしてよい。
【００４３】
図７は、移動局の実施形態を示す図である。移動局７０は、１以上のプロセッサ７１、メモリシステム７２、チップセット７３、ネットワークインターフェースデバイス（ＮＩＤ）７４、および、その他の構成要素を備えるとしてよい。
【００４４】
１以上のプロセッサ７１は、プロセッサバス等のバスを１以上用いて、さまざまな構成要素（例えば、チップセット７３）に通信可能に結合されているとしてよい。１以上のプロセッサ７１は、適切なアーキテクチャでコードを実行する１以上のプロセッシングコアを持つ１の集積回路（ＩＣ）として実現されるとしてもよい。
【００４５】
メモリ７２は、プロセッサ７１によって実行されるべき命令およびデータを格納するとしてよい。メモリ７２の例には、シンクロナスダイナミックランダムアクセスメモリ（ＳＤＲＡＭ）デバイス、ＲＡＭＢＵＳダイナミックランダムアクセスメモリ（ＲＤＲＡＭ）デバイス、ダブルデータレート（ＤＤＲ）メモリデバイス、スタティックランダムアクセスメモリ（ＳＲＡＭ）、および、フラッシュメモリデバイス等の半導体デバイスのうち一または任意の組み合わせが含まれるとしてよい。
【００４６】
チップセット７３は、１以上のプロセッサ７１、メモリ７２、および、ＮＩＤ７４等のその他の構成要素の間について１以上の通信経路を提供するとしてよい。ＮＩＤ７４は、移動局７０との間でデータストリームの入出力を行うとしてよい。ある実施形態によると、ＮＩＤ７４は、アンテナアレイ７４１、受信機７４２および送信機７４３を有するとしてよい。受信機７４２は、アンテナアレイ７４１で受信したデータストリームを処理するとしてよく、例えば、無線周波数から基底周波数への変換、アナログ−デジタル変換、変調等を行うとしてよい。逆に、送信機７４３は、アンテナアレイ７４１で送信すべきデータストリームを処理するとしてよい。例えば、変調、デジタル−アナログ変換、基底周波数から無線周波数への変換等を行うとしてよい。
【００４７】
図８から図１１は、ＴＤＭ／ＣＤＭ構成およびＴＤＭ／ＦＤＭ構成の性能を説明するための図である。図８および図９は、車両速度を変化させた場合の、ＴＤＭ／ＣＤＭ構成を用いたアップリンクＡＣＫ／ＮＡＣＫチャネルの性能を説明する図である。各サブキャリアのパワーは４．７ｄＢでブーストされるので、ＴＤＭ／ＣＤＭ構成の場合、ビットエラーレート（ＢＥＲ）と信号ノイズ比（ＳＮＲ）との間の関係、または、パケットエラーレート（ＰＥＲ）と、ＳＮＲとの間の関係が改善するとしてよい。
【００４８】
図１０および図１１は、車両速度を変化させた場合の、ＴＤＭ／ＦＤＭ構成を用いたアップリンクＡＣＫ／ＮＡＣＫチャネルの性能を説明する図である。各サブキャリアのパワーは７．７ｄＢでブーストされるので、ＴＤＭ／ＦＤＭ構成の場合、ＢＥＲとＳＮＲとの間の関係、または、ＰＥＲとＳＮＲとの間の関係が改善するとしてよい。
【００４９】
本発明の特徴を実施形態例を参照しつつ説明してきたが、上記の説明は本発明を限定すると解釈されることを意図したものではない。実施形態例のさまざまな変形例は、本発明の他の実施形態と同様に、当業者には明らかであり、本発明の意図および範囲に含まれるものと考えられる。
【図１】
0005527702.tif 000007
【図２Ａ】
0005527702.tif 000008
【図２Ｂ】
0005527702.tif 000009
【図３】
0005527702.tif 000010
【図４】
0005527702.tif 000011
【図５】
0005527702.tif 000012
【図６】
0005527702.tif 000013
【図７】
0005527702.tif 000014
【図８】
0005527702.tif 000015
【図９】
0005527702.tif 000016
【図１０】
0005527702.tif 000017
【図１１】
0005527702.tif 000018